(57)【要約】【課題】  従来、作業中の通水を確保するための水道用機器支持機構のバイパス流路機構は、一次側ホルダーポートにのみ切替弁を配設し、二次側は機器、開閉バルブ、合流管が直列に配列されているため、面間距離が長くなるほか、バイパス流路による流水のコントロールが専ら機器開閉弁によって行われため、機器通水時にメーター側への逆流を完全に防止できないという問題があった。【解決手段】  一次側配管と二次側配管のホルダーポート１、２をバイパス流路３によって連結し、一次側と二次側の各ホルダーポートにそれぞれ機器通水、バイパス通水、停水の切替えを行う流路切替弁１２、２２を設けるように構成した。【選択図】図３
2005060963.tif 000002
【特許請求の範囲】
【請求項１】
水道用メーター等の機器両側端を接続機構によって支持する一次側配管と二次側配管のホルダーポートをバイパス流路によって連結し、一次側と二次側の各ホルダーポートにそれぞれ機器通水、バイパス通水、停水の切替えを行う流路切替弁を設けたことを特徴とする水道用機器バイパス流路機構
【請求項２】
バイパス流路に、機器通水時に通水の一部が二次側ホルダーポートから一次側ホルダーポートに対流するインナーパイプによる対流路を設けるようにした請求項１記載の水道用機器バイパス流路機構
【請求項３】
二次側ホルダーポートの機器通水流出口と流路切替弁の間に逆止弁を設けるようにした請求項１又は請求項２記載の水道用機器バイパス流路機構
【発明の詳細な説明】
【技術分野】
【０００１】
本発明は、機器部の停水が行われてもバイパス流路によって通水し、断水することなく水道用メーター等の水道用機器の交換や修理を行うことができるようにした水道用機器バイパス流路機構に関するものである。
【背景技術】
【０００２】
従来、この種のバイパス流路機構は、例えば特許文献１、特許文献４、特許文献５に示されるように、二次側ホルダーポートのバイパス合流部が、機器、開閉バルブ、合流管が直列に配列される構造となっていた。
【０００３】
また、バイパス流路の内部水停滞を防止する構成としては、例えば特許文献２、特許文献３に示されるように、機器の開閉バルブの下流から一次側ホルダーポートのバイパス流出に連通するパイロット管やエジェクト管を配管して、差圧発生手段等によりバイパス流路に流水を回流させる構成をとっている。
【特許文献１】特許第３０４２９７５号公報
【特許文献２】特許第３０１３２８７号公報
【特許文献３】特開平８−２４６５１４号公報
【特許文献４】特開平８−２２６８３１号公報
【特許文献５】登録実用新案第３０３２１７２号公報
【発明の開示】
【発明が解決しようとする課題】
【０００４】
以上のように従来の機器バイパス流路機構は、二次側ホルダーポートのバイパス合流部が、機器、機器開閉バルブ、合流管が直列に配列される構造となっているため、バイパス流路による流水のコントロールは専ら機器開閉バルブによって行われ、合流管の流路に何らの規制がないためメーター等の機器通水時にメーター側への逆流を完全に防止できないという問題があった。
【０００５】
また、機器、機器開閉バルブ、合流管の直列配列は、二次側ホルダーポートの装備配設スペースを大きく必要とするため、ユニットが大型化してしまったり、必要な装備の配設が困難になったりするという問題を残している。
【０００６】
更に、屈曲する流路を切替え整理することなく、水流を仕切り弁と単純な合流管によって受けるためバイパス流路内やメーター機器内に内圧が残存したり、空気が入り込んだりする問題もある。
【課題を解決するための手段】
【０００７】
本発明は上記した問題に対応しようとするものであり、一次側ホルダーポートに機器通水、バイパス通水、停水の切替えを行う流路切替弁を設け、二次側ホルダーポートに機器通水とバイパス通水の切替えを行う流路切替合流弁を設けるように構成し、仕切弁による機器開閉バルブと合流管の機能を流路切替弁によって行うようにした。
【０００８】
また、バイパス流路に、機器通水時に通水の一部が二次側ホルダーポートから一次側ホルダーポートに対流するインナーパイプによる対流路を設けるようにし、機器開閉バルブと合流管の２重構造によって複雑化したパイロット管の配管に代えてインナーパイプによる対流路を設け、機器通水時にもバイパス流路に新水が供給されるようにしてバイパス流路の清潔と機能維持を図るようにした。
【０００９】
更に、従来の仕切り弁と合流管による二次側流路機構を、流路切替弁機構として生み出されたスペースに逆止弁を設けるようにし、機器通水時に発生するメーター側への逆流を完全に防止するようにして機器内の残存内圧や空気を排除するようにした。
【実施例】
【００１０】
以下、本発明の実施例を図面を参照して説明する。１は一次側ホルダーポートで、水道用メーター等の機器両側端を接続機構によって支持する上流側一次側配管と接続し、機器上流側端と接合するフランジ１１、機器通水、バイパス通水、停水の切替えを行う流路切替三方弁１２を内蔵し、機器Ａへの通水口１３、バイパス流路３３への通水口１４が設けられている。
【００１１】
一次側ホルダーポートのフランジ１１は、図４に示すようにホルダーポート本体部の機器通水側端部に止水締着リング１５を介して袋ナット１６により、機器Ａの装着時に必要なクリアランスを確保できる余裕分の進退が可能なように締着され、機器Ａがフランジ１１とフランジ２１の間に容易に嵌着できるように構成されている。
【００１２】
２は二次側ホルダーポートで、水道用メーター等の機器両側端を接続機構によって支持する下流側二次側配管と接続し、機器下流側端と接合するフランジ２１、機器通水、バイパス通水、停水の切替えを行う流路切替三方弁２２を内蔵し、機器Ａからの通水口２３、バイパス流路３３との通水口２４が設けられている。
【００１３】
一次側ホルダーポート１の流路切替三方弁１２はメーター等の機器管理者によって管理できるように専用の切替操作治具によってのみ操作されるように構成され、二次側ホルダーポート２の流路切替三方弁２２は一般ユーザーによっても止水弁としても使用できるように必要に応じてハンドル２５が付設される。
【００１４】
バイパス管３は図７に示されるようにユニット方式になっており、両端に設けられたユニオンナット３２、３２によって通水口１４、２４に着合され、内部にインナーパイプ３１が固着内蔵して設定される。
【００１５】
以上の構成により、流路機構は通常通水の場合、三方弁１２と２２は図５に示すように機器通水方向に開栓され、弁２２のバイパス通水口２４も解放状態となっており、通水は上流一次側配管からポート１、機器Ａ、ポート２、下流二次側配管へと流下するが、当初の流水は三方弁２２のバイパス通水口２４の下流側開口端に衝合してポート２において主流はバイパスインナーパイプ３１に流入しポート１側に吐出するが、弁１２によって流出路が閉止されているのでバイパス流路３３を通じてポート２側に逆流する。
【００１６】
インナーパイプ３１への水流の導入は、通水口２４の下流側開口端への衝合によって行われるが、必要な場合には通水口２４の下流側開口端に衝合片を設定することにより、流入水勢を高めることができ、円滑な対流構造が確保される。
【００１７】
即ち、水勢が高く流入径の小さいインナーパイプ３１の吐出水流は、流路３３を逆流して下流二次側配管へと合流する主流に排出部の水流が吸引されて最初の水勢を保ち、対流構造のままでバイパス流路内に常に水流が回流する。この場合、流路３３の逆流は二次側配管への流入角が大きくなるため前記衝合片に邪魔されることなく二次側配管に流入される。このバイパス流路内における水流の回流によってバイパス径路内における淀みを防止して径路内の清潔が保たれるようになっている。
【００１８】
機器Ａの交換等、機器通水路を閉鎖して作業を行う場合には、切替操作治具やハンドル２５によって流路切替三方弁１２、２２の流路切替を行い図６に示すように機器通水路を閉栓し、通水を上流一次側配管からポート１、バイパス流路３とインナーパイプ３１（対流構造は解除されて同一方向に流れる。）、ポート２、下流二次側配管へと流下させるようにして一次側配管から二次側配管への通水を継続させながら、機器Ａへの通水を遮断して作業を行う。
【００１９】
先ず、機器Ａに対するフランジ１１と２１のボルト締めを外し、フランジ体１１を一次側に引けば、フランジ体１１は前記のように必要なクリアランス１８を確保できる余裕分の進退が可能なように締着されているので、手で引くだけで簡単に機器Ａをフランジ１１とフランジ２１の間から取り外すことができる。
【００２０】
フランジ１１とフランジ２１の間の清掃等を行ったうえで、新しい機器Ａを前記同様にフランジ１１の進退余裕を利用して嵌着し、切替操作治具とハンドル２５によって図５に示すように流路切替三方弁１２、２２の流路切替を行って作業を終了する。
【００２１】
更に、バイパス管３の交換を行うときは、切替操作治具やハンドル２５によって図４に示すように流路切替三方弁１２、２２の流路切替を行って、通水口１４、２４を閉鎖してユニオンナット３２、３２の着合を外せばバイパスユニット全体を取り外せるので、新しいバイパスユニットを着合して交換することができる。その間、通水は機器Ａの流路を通して行われるので断水することがない。
【００２２】
４は逆止弁ユニットで、二次側ホルダーポート２におけるバイパス流路内の対流構造の影響を遮断して、対流構造の影響等によって機器通水時に発生するメーター側への水の逆流が完全に防止されるようになっている。
【００２３】
５は水道用メータ等の機器収容筐で、底部５１、枠部５２はレジンコンクリート、蓋部５３、５４、５５は鋳鉄で構成され埋設設置されるので、機器リリースの面間距離は環境に応じてできるだけ短くするという制約を受けざるを得ない。
【００２４】
本発明は以上のように構成したので、従来の仕切り弁と合流管の直列設置による二次側流路機構設定の面間スペースを大幅に節約することができ、そのスペースに流路切替弁機構と逆止弁を設けることにより、バイパス流路の汚染防止を完全にすると共に、機器通水時等に発生する二次側配管側からメーター側への水の逆流を完全に防止することができたものである。
【図面の簡単な説明】
【００２５】
【図１】本発明の実施例を示すもので、本発明による水道用機器バイパス流路機構の設定状況を要部を断面として示した全体側面図
【図２】同じく、図１の収容筐の蓋部を外した状態における平面図
【図３】同じく、機器通水状態の流路機構を収容筐から取り出した状態の平面図
【図４】同じく、一次側フランジ体の機器嵌着クリアランス進退構造を示す、要部を断面とした一次側ホルダーポートの部分側面図
【図５】同じく、要部を断面としたバイパスユニットの平面図
【図６】同じく、機器通水状態の流路機構の流水状况を示す横断面平面図
【図７】同じく、機器通水路を閉鎖してバイパス流路のみを通水状態とした流路機構の流水状况を示す横断面平面図
【図８】同じく、バイパス流路を遮断して機器通水状態のままバイパスユニットの交換を可能な状態とした場合の流水状况を示す横断面平面図
【符号の説明】
【００２６】
１    一次側ホルダーポート
１１  機器上流側端と接合するフランジ
１２  一次側流路切替三方弁
１３  機器への通水口
１４  バイパス流路への通水口
１５  止水締着リング
１６  フランジ体締着袋ナット
１７  Ｏリング
１８  進退クリアランス
２    二次側ホルダーポート
２１  機器下流側端と接合するフランジ体
２２  二次側流路切替三方弁
２３  機器からの通水口
２４  バイパス流路との通水口
２５  二次側三方弁切替ハンドル
３    バイパス管
３１  バイパスインナーパイプ
３２  ユニオンナット
３３  バイパス流路
３４  Ｏリング
４    逆止弁ユニット
５    水道用メータ等の機器収容筐
５１  機器収容筐の底部
５２  機器収容筐の枠部
５３  機器収容筐の一次側蓋部
５４  機器収容筐のメーター確認蓋部
５５  機器収容筐の二次側蓋部
５６  機器収容筐の調整枠部
Ａ    水道用メーター
【図１】
2005060963.tif 000003
【図２】
2005060963.tif 000004
【図３】
2005060963.tif 000005
【図４】
2005060963.tif 000006
【図５】
2005060963.tif 000007
【図６】
2005060963.tif 000008
【図７】
2005060963.tif 000009
【図８】
2005060963.tif 000010